(57)【要約】設定部は、基準画像の画素位置と相対的な位置にあるサンプル拡大画像の画素に対して、前記基準画像の前記画素位置の画素値を初期画素値として設定する。選択部は、前記サンプル拡大画像の中で前記初期画素値が設定された前記画素含む、画素値が設定済みの画素以外の画素の中から、対象画素を選択する。探索部は、対象画素の周辺領域内における設定済みの画素の集合からなる画素値分布と類似する類似領域位置を、前記基準画像から探索すると、前記基準画像における前記類似領域位置の画素の画素値を、前記サンプル拡大画像における前記対象画素の画素値に割り当てる割り当て部とを有する。
2011027401.tif 000002
【特許請求の範囲】
【請求項１】
基準画像を任意の拡大率で拡大したサンプル拡大画像の複数の初期画素に対して、前記基準画像の画素位置と相対的な位置にある前記基準画像の前記画素位置の画素値を設定する設定部と、
前記サンプル拡大画像の中で画素値が割り当てられていない画素、及び前記初期画素のうち前記設定部が設定した画素値が更新されていない画素のうち、一又は複数の対象画素を選択する選択部と、
前記対象画素の周辺領域内で、画素値が割り当てられた画素の集合からなる領域の画素値分布と、類似する画素値分布の類似領域位置を、前記基準画像から探索する探索部と、
前記サンプル拡大画像における前記対象画素の画素値に、前記基準画像における前記類似領域位置の画素の画素値を割り当てる割り当て部と、
を有することを特徴とする画像処理装置。
【請求項２】
前記基準画像から前記サンプル拡大画像と同じサイズの基準拡大画像を生成する拡大部をさらに有し、
前記設定部は、前記基準画像に代えて、前記基準拡大画像の画素位置と相対的な位置にある前記サンプル拡大画像の画素に、前記基準拡大画像の前記画素位置の画素値を、設定する、
ことを特徴とする請求項１に記載の画像処理装置。
【請求項３】
前記設定部は、前記サンプル拡大画像内で１行１列以上の一定間隔毎に前記初期画素を設定する、
ことを特徴とする請求項２に記載の画像処理装置。
【請求項４】
前記設定部は、前記サンプル拡大画像内のランダムな位置に前記初期画素を設定する、
ことを特徴とする請求項３に記載の画像処理装置。
【請求項５】
前記設定部は、入力画像からテクスチャ成分を分離した画像を縮小した縮小画像を、前記基準画像として用いる、
ことを特徴とする請求項１に記載の画像処理装置。
【請求項６】
基準画像を任意の拡大率で拡大したサンプル拡大画像の複数の初期画素に対して、前記基準画像の画素位置と相対的な位置にある前記基準画像の前記画素位置の画素値を設定する設定ステップと、
前記サンプル拡大画像の中で画素値が割り当てられていない画素、及び前記初期画素のうち前記設定ステップにおいて設定した画素値が更新されていない画素のうち、一又は複数の対象画素を選択する選択ステップと、
前記対象画素の周辺領域内で、画素値が割り当てられた画素の集合からなる領域の画素値分布と、類似する画素値分布の類似領域位置を、前記基準画像から探索する探索ステップと、
前記サンプル拡大画像における前記対象画素の画素値に、前記基準画像における前記類似領域位置の画素の画素値を割り当てる割り当てステップと、
有することを特徴とする画像処理方法。
【発明の詳細な説明】
【技術分野】
【０００１】
本発明は、画像を拡大するときの画像処理技術に関する。
【背景技術】
【０００２】
非特許文献１には、元の画像（以下、「基準画像」と呼ぶ）を拡大して拡大画像を生成するときに、基準画像中のテクスチャ（模様）が自然に連続していると知覚できる拡大画像を生成する方法が開示されている。この方法は、拡大画像の初期画素値に０から２５５までの値をランダムに割り当てた後、左上画素から順に画素値を新たに割り当てている。画素値を割り当てる対象画素の近傍領域中で、画素値が割り当て済みの画素の画素値分布と最も類似した領域を、基準画像から探索する。探索された対応画素の画素値を対象画素の画素値として割り当てる。
【非特許文献１】Li-Yi Wei, Marc Levoy, ”Fast Texture Synthesis using Tree-structured Vector Quantization,” Proc. SIGGRAPH 2000, pp.479-488, 2000.
【発明の開示】
【発明が解決しようとする課題】
【０００３】
しかし、非特許文献１の方法では、複数種類のテクスチャやエッジを含む基準画像に適用すると、模様やエッジの構図を保つことができないという問題点がある。【０００４】
そこで本発明は、上記問題点を解決するためになされたものであって、基準画像からテクスチャやエッジの範囲、位置、又は、配置等の構図を保った拡大画像を生成できる画像処理装置及びその方法を提供することを目的とする。
【課題を解決するための手段】
【０００５】
本発明は、基準画像を任意の拡大率で拡大したサンプル拡大画像の複数の初期画素に対して、前記基準画像の画素位置と相対的な位置にある前記基準画像の前記画素位置の画素値を設定する設定部と、前記サンプル拡大画像の中で画素値が割り当てられていない画素、及び前記初期画素のうち前記設定部が設定した画素値が更新されていない画素のうち、一又は複数の対象画素を選択する選択部と、前記対象画素の周辺領域内で、画素値が割り当てられた画素の集合からなる領域の画素値分布と、類似する画素値分布の類似領域位置を、前記基準画像から探索する探索部と、前記サンプル拡大画像における前記対象画素の画素値に、前記基準画像における前記類似領域位置の画素の画素値を割り当てる割り当て部と、を有することを特徴とする画像処理装置である。
【発明の効果】
【０００６】
本発明によれば、基準画像から、テクスチャやエッジの範囲、位置、又は、配置等の構図を保った拡大画像を生成することができる。
【図面の簡単な説明】
【０００７】
【図１】実施例１の画像処理装置を示すブロック図。
【図２】実施例１の画像処理装置の動作を示すフローチャート。
【図３】テンプレート領域の選択法を説明する図。
【図４】実施例２の画像処理装置を示すブロック図。
【図５】実施例２の画像処理装置の動作を示すフローチャート。
【図６】実施例５の画像処理装置を示すブロック図。
【図７】実施例５の画像処理装置の動作を示すフローチャート。
【発明を実施するための形態】
【０００８】
以下、本発明に係る一実施例の画像処理装置について、図面を用いて説明する。なお、各実施例において互いに同じ構成については、共通の符号を付して、重複説明は省略する。本実施例の画像処理装置は、テレビなどの画像表示装置、ビデオカメラなどに搭載される。
【実施例１】
【０００９】
本実施例の画像処理装置１は、基準画像１０５を拡大して、基準画像におけるテクスチャやエッジの範囲、位置、又は、配置等の構図を保った拡大画像１１０を生成する。【００１０】
（１）画像処理装置の構成  
図１は、画像処理装置１を示すブロック図である。  
画像処理装置１は、設定部１０１、選択部１０２、探索部１０３、割り当て部１０４を有する。【００１１】
設定部１０１は、例えば、グレイスケールの画像である基準画像１０５が入力されると、その基準画像１０５を任意の拡大率ｋで拡大してサンプル拡大画像を生成する。このサンプル拡大画像は、基準画像１０５と画素のサイズが同じで、かつ、画素数が前記拡大率ｋによって増加したものあり、また、サンプル拡大画像の各画素には、画素値が設定されておらず、未定の状態である。なお、拡大率は、最終的に出力したい拡大画像１１０から決まるものである。そして、この生成したサンプル拡大画像の一部の画素（以下、「初期画素」と呼ぶ）の画素値について、基準画像１０５の画素値を初期画素値として設定、すなわち、割り当てる。その設定されるサンプル拡大画像の画素位置は、基準画像１０５の画素位置と相対的に対応する位置にある画素とする。ここで、画素値とは、例えば、輝度値である。【００１２】
選択部１０２は、サンプル拡大画像の中の画素であって、初期画素以外の画素から、画素値を割り当てる対象の画素（以下、「対象画素」と呼ぶ）を選択する。  
探索部１０３は、選択部１０２で選択した対象画素の周辺領域と画素値分布が類似する領域（以下、「類似領域位置」と呼ぶ）を基準画像１０５から探索する。  
割り当て部１０４は、探索部１０３で探索した、基準画像１０５の類似領域位置の画素の画素値を、サンプル拡大画像の対象画素の画素値に割り当てる。  
（２）画像処理装置１の動作  
図２は、画像処理装置１の動作を示すフローチャートである。  
ステップＳ２０１では、設定部１０１が、基準画像１０５を読み込み、拡大率ｋに基づいて、基準画像１０５からサンプル拡大画像を生成して、ステップＳ２０２に進む。基準画像１０５とは、１種類以上のテクスチャを含む画像である。なお、エッジを含んでいてもよい。【００１３】
ステップＳ２０２では、設定部１０１が、サンプル拡大画像の一部の画素である初期画素に基準画像１０５の画素値を初期画素値として設定して、ステップＳ２０３に進む。ステップＳ２０２において、初期画素に初期画素値が設定されたサンプル拡大画像を「初期拡大画像１０６」と呼ぶ。初期拡大画像１０６における初期画素は、１行１列以上の一定間隔毎とする。なお、間隔幅が大きすぎるとエッジの連続性を維持することが困難になるため、間隔幅は１行１列、又は、２行２列程度であることが望ましい。基準画像１０５と初期拡大画像１０６の横幅の比が１：ｋｘ、縦幅の比が１：ｋｙであった場合（但し、ｋは前記拡大率である）、初期拡大画像１０６の初期画素（ｘ，ｙ）に設定された初期画素値は、基準画像１０５の画素（ｘ／ｋｘ，ｙ／ｋｙ）の画素値とする。すなわち、基準画像１０５の画素位置（画素座標値）に相対的に対応したサンプル拡大画像の画素位置（画素座標値）の初期画素に初期画素値を設定する。【００１４】
ステップＳ２０３では、選択部１０２が、サンプル拡大画像の画素から対象画素の座標値である対象画素座標１０７を選択し、ステップＳ２０４に進む。対象画素は、初期拡大画像１０６の初期画素以外の画素の中から１画素を選択する。選択の順序は任意でよい。【００１５】
ステップＳ２０４では、探索部１０３が、対象画素座標１０７の周辺領域をテンプレート領域とし、テンプレート領域の画素値分布と類似する領域を基準画像１０５から探索し、その探索結果を類似領域位置１０８として、ステップＳ２０５に進む。図３に示すように、テンプレート領域（サイズは、例えば５ｘ５［ｐｉｘｅｌ］である）は、対象画素座標１０７を中心とした矩形のサイズＮｘＮ［ｐｉｘｅｌ］の近傍領域（サイズは、例えば５ｘ５［ｐｉｘｅｌ］である）内で、既に画素値が設定済みの画素の集合とする。ここで、画素値が設定済みの画素とは、１回目の処理における初期拡大画像１０６では、初期画素値が設定された初期画素のみであり、２回目以降の処理のサンプル拡大画像（後から説明する更新拡大画像）では、設定部１０１が設定した（割り当てた）初期画素及び割り当て部１０４が画素値を割り当てた割り当て済み画素の両方を意味する。図３は、１行１列毎の初期画素に初期画素値を割り当て、画像の左上画素から右下画素へと順に対象画素座標１０７を選択していった場合のテンプレート領域を示す。基準画像１０５の全ての画素において、その周辺領域とテンプレート領域内の画素値との誤差を算出し、誤差が最小となる画素を選択する。選択した領域の中心画素が、上記した類似領域位置１０８である。２つの領域の画素値の誤差を算出する際には、画素毎の差の二乗和を算出してもよいし、画素毎の差の絶対値和を算出してもよい。【００１６】
ステップＳ２０５では、割り当て部１０４が、基準画像１０５の類似領域位置１０８の画素の画素値を、サンプル拡大画像の対象画素座標１０７の画素値に割り当てて、ステップＳ２０６に進む。サンプル拡大画像の全画素の画素値が割り当てられていない状態の拡大画像を「更新拡大画像１０９」と呼ぶ。  
ステップＳ２０６では、選択部１０２が、更新拡大画像１０９の画素値が全て割り当てられているか否かを判定し、割り当てられていない場合にはステップＳ２０３へ戻る（図２中のＮｏの場合）。全画素の画素値割り当てが完了している場合にはステップＳ２０７へ進む（図２中のＹｅｓの場合）。【００１７】
ステップＳ２０７では、選択部１０２が、全画素に画素値が割り当てられた更新拡大画像１０９を、拡大画像１１０として出力する。【００１８】
（３）効果  
本実施例によれば、サンプル拡大画像における初期画素の初期画素値に、基準画像の画素値を設定することで、類似領域位置を探索する際に異なるテクスチャ領域から類似領域位置を選択することを防ぐことができる。これにより、複数のテクスチャやエッジの混在する基準画像に対しても、基準画像におけるテクスチャやエッジの範囲、位置、又は、配置等の構図を保ったまま拡大した拡大画像を生成できる。
【実施例２】
【００１９】
本実施例では、設定部１０１において、初期拡大画像に、基準画像の画素の画素値ではなく、基準画像を拡大した画像の画素値を用いる点が、実施例１の画像処理装置とは異なる。【００２０】
（１）画像処理装置４の構成
図４は、画像処理装置１を示すブロック図である。【００２１】
本実施例の画像処理装置４は、設定部１０１、選択部１０２、探索部１０３、割り当て部１０４に加えて、画像拡大部４０１が追加される。【００２２】
（２）画像処理装置４の動作
画像処理装置４の動作について図５を用いて説明する。図５は、画像処理装置４の動作を示すフローチャートである。【００２３】
ステップＳ５０１では、画像拡大部４０１に基準画像１０５が入力する。画像拡大部４０１が、サンプル拡大画像と同じサイズへ拡大率ｋで基準画像１０５を拡大し、ステップＳ５０２に進む。拡大後の基準画像１０５を「基準拡大画像４０２」と呼ぶ。画像拡大方法としては、本発明以外の任意の画像拡大方法を用いることが可能である。例えば、最近傍補間法（ニアレストネイバー法）、線形補間法、又は、キュービックコンボリューション法など、画素値を補間して画像を拡大する方法を採用することができるが、できるだけぼけの少ない画像を生成できる方法を用いることが望ましい。【００２４】
ステップＳ５０２では、設定部１０１が、サンプル拡大画像の初期画素に基準拡大画像４０２の画素の画素値を初期画素値として設定し、ステップＳ２０３に進む。ステップＳ５０２で初期画素に初期画素値の設定されたサンプル拡大画像を、実施例１と同様に「初期拡大画像４０３」と呼ぶ。初期拡大画像４０３における初期画素は１行１列以上の一定間隔毎とする。間隔幅が大きすぎるとエッジの連続性を維持することが困難になるため、間隔幅は１行１列、又は、２行２列程度であることが望ましい。そして、設定部１０１が、初期拡大画像４０３の初期画素（ｘ，ｙ）の初期画素値を、基準拡大画像４０２の画素（ｘ，ｙ）の画素値と設定する。すなわち、サンプル拡大画像と基準拡大画像に関して、相対的に同じ位置の画素の画素値を初期画素値として設定する。【００２５】
ステップＳ２０３〜Ｓ２０７では、画像処理装置４の各部１０２〜１０４が、実施例１と同じ動作を行って、拡大画像１１０を生成する。【００２６】
（３）効果
本実施例によれば、設定される初期画素値の元となる基準拡大画像と、設定先のサンプル拡大画像とで、１対１の画素対応が可能となる。
【実施例３】
【００２７】
本実施例の画像処理装置は、ステップＳ２０２において、設定部１０１が、サンプル拡大画像における初期画素を一定間隔毎でなく、ランダムに選択する点が、実施例１とは異なる。【００２８】
設定部１０１が、サンプル拡大画像からランダムに選択する際の初期画素の画素数は、サンプル拡大画像の全画素の４分の１程度の画素を選択することが望ましい。また、ステップＳ２０４において、探索部１０３が類似領域位置の探索の際に、サイズＮｘＮ［ｐｉｘｅｌ］（例えば、５ｘ５［ｐｉｘｅｌ］）の近傍領域内でテンプレート領域を用意するため、各画素を中心としたＮｘＮ［ｐｉｘｅｌ］の範囲内に１つ以上の初期画素が設定されている必要がある。【００２９】
本実施例によれば、出力される拡大画像１１０において初期画素の画素値が目立たなくなり、高い精度で拡大画像を生成できる。
【実施例４】
【００３０】
本実施例の画像処理装置は、ステップＳ２０３において、選択部１０２が、サンプル拡大画像から対象画素を選択する際に、１画素のみを選択するのではなく、隣接する複数の画素集合を選択する点が、実施例１とは異なる。【００３１】
選択部１０２が、選択する画素数は２画素から３画素程度であることが望ましい。ステップＳ２０３において選択部１０２が、複数の画素を選択した場合には、ステップＳ２０４において探索部１０３が、選択する類似領域位置１０８も複数の画素となり、ステップＳ２０５において割り当て部１０４が画素値を割り当てる際にも、１回の処理で複数の画素へ画素値を割り当てることになる。【００３２】
本実施例によれば、１回の処理で複数の画素値の割り当てが可能になるため、処理の高速化を図ることができる。
【実施例５】
【００３３】
本実施例では、画像処理装置１に入力する基準画像１０５として、入力画像６０３から抽出したテクスチャ成分画像をさらに縮小した縮小画像を用いる点が、実施例１と異なる。【００３４】
（１）画像処理装置６の構成
図６は、画像処理装置６の構成を表すブロック図である。  
画像処理装置６は、設定部１０１、選択部１０２、探索部１０３、割り当て部１０４に加えて、成分抽出部６０１、画像縮小部６０２、合成部６０６が追加される。【００３５】
（２）画像処理装置６の動作
次に、画像処理装置６の動作について図７を用いて説明する。図７は、画像処理装置６の動作を示すフローチャートである。【００３６】
ステップＳ７０１では、画像処理装置６がグレイスケールの入力画像６０３を読み込み、ステップＳ７０２に進む。【００３７】
ステップＳ７０２では、成分抽出部６０１が、入力したグレイスケールの入力画像６０３からテクスチャ成分のみのテクスチャ成分画像６０４と、それ以外の成分画像６０５を抽出してステップＳ７０３に進む。テクスチャ成分を抽出する手段としては、例えば、骨格／テクスチャ分離法、Center/Surround Retinex法、又は、ε−フィルタ等を用いればよい。【００３８】
ステップＳ７０３では、画像縮小部６０２が、入力したテクスチャ成分画像６０４を縮小して縮小画像を生成して、この縮小画像を基準画像１０５として出力し、ステップＳ２０１に進む。縮小率は任意に選択することが可能である。例えば、縮小画像中で生成したいテクスチャの細かさと、テクスチャ成分画像６０４中のテクスチャの細かさを比較し、生成したいテクスチャの細かさになるように縮小率を選択する。縮小画像に折り返し歪みが発生するのを防ぐため、低域通過フィルタを前処理として適用することが望ましい。【００３９】
ステップＳ２０１〜Ｓ２０７では、画像処理装置６の各部１０１〜１０４が、実施例１と同じ動作を行う。【００４０】
ステップＳ２０８では、合成部６０６が、ステップＳ２０７で生成した拡大画像１１０に、テクスチャー成分以外の成分からなる成分画像６０５を合成して、合成画像を出力する。【００４１】
（３）効果
本実施例によれば、入力画像中のテクスチャ成分の変化パターンを細かくすることが可能となり、入力画像の質感を向上できる。
【実施例６】
【００４２】
本発明の実施例６の画像処理装置について説明する。【００４３】
本実施例では、全ての画素に対して画素値の割り当てが完了した後の拡大画像を初期拡大画像とし、実施例１のステップＳ２０３からの処理を再度実行する点が、実施例１と異なる。【００４４】
すなわち、本実施例では、実施例１の画像処理装置１で生成した拡大画像１１０を、さらにもう一度処理するものである。具体的には、次の通りである。【００４５】
画像処理装置が、１回目の処理で拡大画像１１０を生成する。この処理は、実施例１と同様である。【００４６】
次に、画像処理装置が、この拡大画像１１０を用いて２回目の処理を行う。この２回目の処理は、次のように行う。選択部１０２が、１回目の処理で生成した拡大画像１１０における初期画素を対象画素として改めて選択する。すなわち、この選択では、１回目の処理において初期画素の画素値が設定され、それ以降、この初期画素の画素値が更新されていない画素を対象画素として選択する。探索部１０３は、この対象画像に関して、１回目の処理で画素値を割り当てた割り当て済み画素を用いて類似領域位置の探索を行う。割り当て部１０４は、探索した基準画像１０５の類似領域位置にある画素の画素値を、拡大画像１１０の初期画素値が設定された初期画素に再び割り当てる。【００４７】
本実施例によれば、拡大画像１１０の全画素の画素値を類似領域位置の探索処理により割り当てることが可能となり、高い精度での拡大画像を生成できる。【００４８】
本発明は上記実施例そのままに限定されるものではなく、実施段階ではその要旨を逸脱しない範囲で構成要素を変形して具体化できる。また、上記実施例に開示されている複数の構成要素の適宜な組み合わせにより、種々の発明を形成できる。例えば、実施例に示される全構成要素から幾つかの構成要素を削除してもよい。さらに、異なる実施例にわたる構成要素を適宜組み合わせてもよい。
【符号の説明】
【００４９】
１    画像処理装置
１０１    設定部
１０２    選択部
１０３    探索部
１０４    割り当て部
【図１】
2011027401.tif 000003
【図２】
2011027401.tif 000004
【図３】
2011027401.tif 000005
【図４】
2011027401.tif 000006
【図５】
2011027401.tif 000007
【図６】
2011027401.tif 000008
【図７】
2011027401.tif 000009
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
基準画像を任意の拡大率で拡大した画像と同一の画素数を持つサンプル拡大画像を生成し、前記サンプル拡大画像の複数の画素に対して、前記サンプル拡大画像の複数の画素と相対的な位置にある前記基準画像の画素位置の画素値を設定する設定部と、
前記サンプル拡大画像の一又は複数の対象画素を選択する選択部と、
前記対象画素の周辺領域内で、画素値が割り当てられた画素の集合からなる領域の画素値分布と、類似する画素値分布を周辺に有する類似領域位置を、前記基準画像から探索する探索部と、
前記サンプル拡大画像における前記対象画素の画素値に、前記基準画像における前記類似領域位置の画素の画素値を割り当てる割り当て部と、
を有することを特徴とする画像処理装置。
【請求項２】
前記基準画像から前記サンプル拡大画像と同じサイズの基準拡大画像を生成する拡大部をさらに有し、
前記設定部は、前記基準画像に代えて、前記基準拡大画像の画素位置と相対的な位置にある前記サンプル拡大画像の画素に、前記基準拡大画像の前記画素位置の画素値を、設定する、
ことを特徴とする請求項１に記載の画像処理装置。
【請求項３】
前記設定部は、前記サンプル拡大画像内で１行１列以上の一定間隔毎に前記画素を設定する、
ことを特徴とする請求項２に記載の画像処理装置。
【請求項４】
前記設定部は、前記サンプル拡大画像内のランダムな位置に前記画素を設定する、
ことを特徴とする請求項３に記載の画像処理装置。
【請求項５】
前記設定部は、入力画像からテクスチャ成分を分離した画像を縮小した縮小画像を、前記基準画像として用いる、
ことを特徴とする請求項１に記載の画像処理装置。
【請求項６】
基準画像を任意の拡大率で拡大した画像と同一の画素数を持つサンプル拡大画像を生成し、前記サンプル拡大画像の複数の画素に対して、前記サンプル拡大画像の複数の画素と相対的な位置にある前記基準画像の画素位置の画素値を設定する設定ステップと、
前記サンプル拡大画像の一又は複数の対象画素を選択する選択ステップと、
前記対象画素の周辺領域内で、画素値が割り当てられた画素の集合からなる領域の画素値分布と、類似する画素値分布を周辺に有する類似領域位置を、前記基準画像から探索する探索ステップと、
前記サンプル拡大画像における前記対象画素の画素値に、前記基準画像における前記類似領域位置の画素の画素値を割り当てる割り当てステップと、
有することを特徴とする画像処理方法。
【手続補正２】
【補正対象書類名】明細書
【補正対象項目名】０００５
【補正方法】変更
【補正の内容】
【０００５】
本発明は、基準画像を任意の拡大率で拡大した画像と同一の画素数を持つサンプル拡大画像を生成し、前記サンプル拡大画像の複数の画素に対して、前記サンプル拡大画像の複数の画素と相対的な位置にある前記基準画像の画素位置の画素値を設定する設定部と、前記サンプル拡大画像の一又は複数の対象画素を選択する選択部と、前記対象画素の周辺領域内で、画素値が割り当てられた画素の集合からなる領域の画素値分布と、類似する画素値分布を周辺に有する類似領域位置を、前記基準画像から探索する探索部と、前記サンプル拡大画像における前記対象画素の画素値に、前記基準画像における前記類似領域位置の画素の画素値を割り当てる割り当て部と、を有することを特徴とする画像処理装である。
【国際調査報告】
2011027401.tif 000010
2011027401.tif 000011
2011027401.tif 000012
2011027401.tif 000013